(57)【特許請求の範囲】
【請求項１】
粘稠材料用容器の粘稠材料を収容する容器本体の周壁面に、外周部が摺接するように設けられ、面板部に粘稠材料が押し出される吐出口を備えてなる中蓋体において、前記中蓋体の外周部が、面板部を挟んで両方向に弧状に延びる環状の摺接片からなり、該摺接片の先端部分が容器本体の周壁面に摺接するようにしてなり、かつ、前記摺接片のうちの一方の摺接片に、切欠部を形成してなることを特徴とする粘稠材料用容器の中蓋体。
【請求項２】
粘稠材料用容器の粘稠材料を収容する容器本体の周壁面に、外周部が摺接するように設けられ、面板部に粘稠材料が押し出される吐出口を備えてなる中蓋体において、前記中蓋体の外周部が、面板部を挟んで両方向に弧状に延びる環状の摺接片からなり、該摺接片の先端部分が容器本体の周壁面に摺接するようにしてなり、かつ、前記摺接片のうちの容器本体の底面側の摺接片の先端の位置と、前記面板部の底面の位置とを、同一レベルとなるようにするとともに、面板部の外周部を環状のリブとし、該リブを挟んで両方向に弧状に延びる環状の摺接片の中間位置に接続するようにしたことを特徴とする粘稠材料用容器の中蓋体。
【発明の詳細な説明】
【技術分野】
【０００１】
本発明は、粘稠材料用容器の中蓋体に関するものである。
【背景技術】
【０００２】
従来、軟膏等の医薬品、クリーム等の化粧品、ペースト等の工業品等の種々の粘稠材料（本明細書において、包括して、「粘稠材料」という。）用の容器において、粘稠材料を収容する容器本体の周壁面に、外周部が摺接するように設けられ、面板部に粘稠材料が押し出される吐出口を備えてなる中蓋体を配設したものが提案されている（例えば、特許文献１〜２参照。）。
【先行技術文献】
【特許文献】
【０００３】
【特許文献１】実開昭４９−４０２９１号公報
【特許文献２】特開２００４−１７５４０３号公報
【発明の概要】
【発明が解決しようとする課題】
【０００４】
ところで、従来の粘稠材料用容器の中蓋体は、容器本体の周壁面に摺接する中蓋体の外周部を、面板部から一方向に延びる環状の摺接片から構成し、摺接片の全面が容器本体の周壁面に摺接するようにされている。
【０００５】
このため、従来の粘稠材料用容器の中蓋体は、中蓋体と容器本体の周壁面との間の隙間寸法を小さく設定すると、中蓋体の摺動抵抗が大きく、使用勝手が悪くなり、隙間寸法を大きく設定すると、隙間から粘稠材料が漏出するという問題があり、このため、粘稠材料用容器や中蓋体を製造するに当たっては、寸法精度を高める必要があった。
【０００６】
本発明は、上記従来の粘稠材料用容器の中蓋体の有する問題点に鑑み、寸法精度を高めることなく、中蓋体の摺動抵抗が大きくなったり、隙間から粘稠材料が漏出するという問題を解消することができるようにした粘稠材料用容器の中蓋体を提供することを目的とする。
【課題を解決するための手段】
【０００７】
上記目的を達成するため、本発明の粘稠材料用容器の中蓋体は、粘稠材料用容器の粘稠材料を収容する容器本体の周壁面に、外周部が摺接するように設けられ、面板部に粘稠材料が押し出される吐出口を備えてなる中蓋体において、前記中蓋体の外周部が、面板部を挟んで両方向に弧状に延びる環状の摺接片からなり、該摺接片の先端部分が容器本体の周壁面に摺接するようにしてなることを特徴とする。
【０００８】
この場合において、前記摺接片のうちの一方の摺接片に、切欠部を形成することができる。
【０００９】
また、前記摺接片のうちの容器本体の底面側の摺接片の先端の位置と、前記面板部の底面の位置とを、同一レベルとなるようにするとともに、面板部の外周部を環状のリブとし、該リブを挟んで両方向に弧状に延びる環状の摺接片の中間位置に接続するようにすることができる。
【発明の効果】
【００１０】
本発明の粘稠材料用容器の中蓋体によれば、中蓋体の外周部が、面板部を挟んで両方向に弧状に延びる環状の摺接片からなり、該摺接片の先端部分が容器本体の周壁面に摺接するようにしてなることから、摺接片の全面が容器本体の周壁面に摺接する従来の粘稠材料用容器の中蓋体と比較して、中蓋体の摺動抵抗が小さくなり、指による軽い力で、かつ、適量の粘稠材料が吐出口から押し出されるように微調整しながら、中蓋体を押し下げることができ、また、摺接片の先端部分が容器本体の周壁面にバランスよく確実に摺接するようになり、中蓋体と容器本体の周壁面との間に隙間が生じにくく、隙間から粘稠材料が漏出することがなく、このため、粘稠材料用容器や中蓋体を製造するに当たって、寸法精度を高める必要がなく、製造管理を容易にし、製造コストを低減することができる。
【００１１】
また、前記摺接片のうちの一方の摺接片に、切欠部を形成することにより、中蓋体の摺動抵抗を一層小さくすることができるとともに、中蓋体の製造に当たって、成形された中蓋体の切欠部を形成した摺接片の変形を可能にし、成形型からの離脱を容易に行うようにすることができる。
【００１２】
また、前記摺接片のうちの容器本体の底面側の摺接片の先端の位置と、前記面板部の底面の位置とを、同一レベルとなるようにするとともに、面板部の外周部を環状のリブとし、該リブを挟んで両方向に弧状に延びる環状の摺接片の中間位置に接続することにより、中蓋体を平らな底面を有する一般的な容器本体に適用した場合に、中蓋体の面板部と容器本体の底面との間に残留する粘稠材料をなくし、粘稠材料を最後まで使い切ることができるとともに、中蓋体を押し下げた際に中蓋体が歪に変形することを環状のリブによって防止することができる。
【図面の簡単な説明】
【００１３】
【図１】本発明の粘稠材料用容器の中蓋体の一実施例を示し、（ａ）は平面図、（ｂ）は一部断面の正面図、（ｃ）は底面図、（ｄ）及び（ｅ）は吐出口の説明図である。
【図２】同粘稠材料用容器の中蓋体を示し、（ａ）は正面断面図、（ｂ）は容器本体に装着した状態を示す正面断面図である。
【発明を実施するための形態】
【００１４】
以下、本発明の粘稠材料用容器の中蓋体の実施の形態を、図面に基づいて説明する。
【００１５】
図１〜図２に、本発明の粘稠材料用容器の中蓋体の一実施例を示す。
この粘稠材料用容器の中蓋体１は、粘稠材料用容器の粘稠材料を収容する容器本体２の周壁面２１に、外周部１１が摺接するように設けられ、面板部１２に粘稠材料が押し出される吐出口１３を備えたもので、中蓋体１の外周部１１が、面板部１２を挟んで両方向に弧状に延びる環状の摺接片１１ａ、１１ｂからなり、摺接片１１ａ、１１ｂの先端部分が容器本体２の周壁面２１に摺接するようにする。
【００１６】
中蓋体１は、容器本体２内に収容する粘稠材料の性状に応じて選択された、ポリエチレン樹脂、ポリプロピレン樹脂、ポリアミド樹脂等の比較的柔軟な合成樹脂材料を用いて成形するようにする。
【００１７】
面板部１２を挟んで両方向に弧状に延びる環状の摺接片１１ａ、１１ｂの肉厚は、面板部１２の厚みよりも薄く、例えば、０．２〜０．５ｍｍ程度に形成することにより、容器本体２の周壁面２１に摺接する際に変形して、密着するようにしている。
【００１８】
面板部１２の中心部には、吐出口１３から粘稠材料を押し出す際に中蓋体１を均一に押し下げることができるようにする、周囲より若干膨出するようにした押圧部１４を形成する。
【００１９】
そして、本実施例においては、面板部１２の中心部に押圧部１４を形成した関係上、吐出口１３は、面板部１２の中心部から外れた箇所に形成するようにしているが、吐出口１３の外縁部を押圧部とする場合には、吐出口１３を面板部１２の中心部に形成するようにする。
【００２０】
吐出口１３は、単なる開口として形成することもできるが、押し出される粘稠材料に負荷が加わるように、本実施例に示すような十字状の切れ目のほか、図１（ｄ）及び（ｅ）に示すような切り口で構成することができる。
吐出口１３の肉厚ｔは、面板部１２の厚みよりも薄く、例えば、０．２〜０．５ｍｍ程度に形成することにより、吐出口１３から押し出された粘稠材料を指で掬い取る際に変形して、粘稠材料を指で掬い取りやすくするようにしている。
【００２１】
また、面板部１２を挟んで両方向に弧状に延びる環状の摺接片１１ａ、１１ｂのうちの一方、本実施例においては、図２（ｂ）に示すように、中蓋体１を容器本体２に装着したときに、容器本体２の開口側に位置する摺接片１１ａに、切欠部１６を形成することができる。
切欠部１６は、等角度間隔に複数箇所、本実施例においては、９０度間隔に４箇所形成するようにしている。
これにより、中蓋体１の摺動抵抗を一層小さくすることができるとともに、中蓋体１の製造に当たって、成形された中蓋体１の切欠部１６を形成した摺接片１１ａの変形を可能にし、成形型からの離脱を容易に行うようにすることができる。
【００２２】
また、図２（ｂ）に示すように、摺接片１１ａ、１１ｂのうちの、中蓋体１を容器本体２に装着したときに容器本体２の底面２２側の摺接片１１ｂの先端の位置と、面板部１２の底面の位置とを、同一レベルとなるようにするとともに、面板部１２の外周部を環状のリブ１５とし、このリブ１５を挟んで両方向に弧状に延びる環状の摺接片１１ａ、１１ｂの中間位置に接続するようにしている。
これにより、中蓋体１を平らな底面２２を有する一般的な容器本体２に適用した場合に、中蓋体１の面板部１２と容器本体２の底面２２との間に残留する粘稠材料をなくし、粘稠材料を最後まで使い切ることができるとともに、中蓋体１を押し下げた際に中蓋体１が歪に変形することを環状のリブ１５によって防止することができる。
【００２３】
この粘稠材料用容器の中蓋体１は、摺接片の全面が容器本体の周壁面に摺接する従来の粘稠材料用容器の中蓋体と比較して、中蓋体１の摺動抵抗が小さくなり、指による軽い力で、かつ、適量の粘稠材料が吐出口１３から押し出されるように微調整しながら、中蓋体１を押し下げることができ、また、摺接片１１ａ、１１ｂの先端部分が容器本体２の周壁面２１にバランスよく確実に摺接するようになり、中蓋体１と容器本体２の周壁面２１との間に隙間が生じにくく、隙間から粘稠材料が漏出することがなく、このため、粘稠材料用容器（容器本体２）や中蓋体１を製造するに当たって、寸法精度を高める必要がなく、製造管理を容易にし、製造コストを低減することができる。
【００２４】
以上、本発明の粘稠材料用容器の中蓋体について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の粘稠材料用容器の中蓋体は、中蓋体の摺動抵抗が小さく、また、中蓋体と容器本体の周壁面との間に隙間が生じにくく、隙間から粘稠材料が漏出することがなく、このため、粘稠材料用容器や中蓋体を製造するに当たって、寸法精度を高める必要がなく、製造管理を容易にし、製造コストを低減することができるという特性を有していることから、軟膏等の医薬品、クリーム等の化粧品、ペースト等の工業品等の種々の粘稠材料用容器の中蓋体の用途に好適に用いることができる。
【符号の説明】
【００２６】
１  中蓋体
１１  外周部
１１ａ  摺接片
１１ｂ  摺接片
１２  面板部
１３  吐出口
１４  押圧部
１５  リブ
１６  切欠部
２  容器本体
２１  周壁面
２２  底面
【図１】
0006747710.tif 000002
【図２】
0006747710.tif 000003